【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
画像データを入力する画像入力部と、外部メモリを接続するメモリ接続部とを有する画像処理装置を操作可能な表示制御装置であって、
前記画像入力部及び前記メモリ接続部に接続された外部メモリの少なくとも一方を用いて前記画像処理装置にタスクを実行させるための複数の操作項目を含む操作画面を表示部に表示する表示手段と、
前記画像入力部の状態及び前記メモリ接続部への外部メモリの接続状態を監視する監視手段と、
前記監視手段が、前記画像入力部が画像データの入力待機状態にあり、かつ前記メモリ接続部に外部メモリが接続されていると判断している場合と、前記画像入力部が画像データの入力待機状態にあると判断しないか、前記メモリ接続部に外部メモリが接続されていると判断しない場合とで、前記操作項目の表示形態を異ならせるよう前記表示手段を制御する制御手段と
を有することを特徴とする表示制御装置。
【請求項２】
前記画像入力部の状態及び前記メモリ接続部への外部メモリの接続状態に応じたタスクの優先度を示す情報を保持する保持手段を更に有し、
前記制御手段は、前記監視手段による監視結果に応じた優先度を前記保持手段から読み出し、当該優先度に応じて前記操作項目の表示形態を異ならせる
ことを特徴とする請求項１に記載の表示制御装置。
【請求項３】
前記画像入力部は、原稿上の画像を読み取り、該画像を示す画像データを生成する画像読取手段であり、
前記監視手段は、前記画像読取手段に原稿がセットされている場合に、入力待機状態にあると判断する
ことを特徴とする請求項１または２に記載の表示制御装置。
【請求項４】
前記画像処理装置を使用するユーザを特定するためのユーザ情報を取得する取得手段を有し、
前記制御手段は、前記取得手段で取得したユーザ情報に応じて前記表示手段を制御する
ことを特徴とする請求項１乃至３のいずれか１項に記載の表示制御装置。
【請求項５】
前記制御手段は、前記画像処理装置が実行すべきタスクに関するスケジュール情報を参照可能であり、該参照されたスケジュール情報に従って前記表示手段を制御する
ことを特徴とする請求項１乃至４のいずれか１項に記載の表示制御装置。
【請求項６】
前記制御手段は、前記画像処理装置の操作履歴を示す履歴情報を参照可能であり、該参照された履歴情報に従って前記表示手段を制御する
ことを特徴とする請求項１乃至５のいずれか１項に記載の表示制御装置。
【請求項７】
前記画像処理装置が実行するタスクで処理されるべきデータを格納する格納手段を更に有し、
前記制御手段は、前記格納手段に処理されるべきデータが格納されているか否かに応じて前記表示手段を制御する
ことを特徴とする請求項１乃至６のいずれか１項に記載の表示制御装置。
【請求項８】
画像データを入力する画像入力部と、外部メモリを接続するメモリ接続部とを有する画像処理装置を操作可能な表示制御装置の制御方法であって、
前記画像入力部及び前記メモリ接続部に接続された外部メモリの少なくとも一方を用いて前記画像処理装置にタスクを実行させるための複数の操作項目を含む操作画面を表示部に表示する表示工程と、
前記画像入力部の状態及び前記メモリ接続部への外部メモリの接続状態を監視する監視工程と、
前記監視工程が、前記画像入力部が画像データの入力待機状態にあり、かつ前記メモリ接続部に外部メモリが接続されていると判断している場合と、前記画像入力部が画像データの入力待機状態にあると判断しないか、前記メモリ接続部に外部メモリが接続されていると判断しない場合とで、前記操作項目の表示形態を異ならせるよう制御する制御工程と
を有することを特徴とする表示制御装置の制御方法。
【請求項９】
画像データを入力する画像入力部と、外部メモリを接続するメモリ接続部とを有する画像処理装置を操作可能な表示制御装置をコンピュータによって実現するプログラムであって、
前記画像入力部及び前記メモリ接続部に接続された外部メモリの少なくとも一方を用いて前記画像処理装置にタスクを実行させるための複数の操作項目を含む操作画面を表示部に表示する表示工程と、
前記画像入力部の状態及び前記メモリ接続部への外部メモリの接続状態を監視する監視工程と、
前記監視工程が、前記画像入力部が画像データの入力待機状態にあり、かつ前記メモリ接続部に外部メモリが接続されていると判断している場合と、前記画像入力部が画像データの入力待機状態にあると判断しないか、前記メモリ接続部に外部メモリが接続されていると判断しない場合とで、前記操作項目の表示形態を異ならせるよう制御する制御工程と
をコンピュータにより実行させることを特徴とするプログラム。
【手続補正２】
【補正対象書類名】明細書
【補正対象項目名】発明の名称
【補正方法】変更
【補正の内容】
【発明の名称】表示制御装置及びその制御方法、プログラム
【手続補正３】
【補正対象書類名】明細書
【補正対象項目名】０００１
【補正方法】変更
【補正の内容】
【０００１】
本発明は、画像入力部、メモリ接続部を含む構成要素を有し、これらの構成要素を少なくとも１つを用いてタスクを実行する画像処理装置を操作可能な表示制御装置及びその制御方法、プログラムに関するものである。
【手続補正４】
【補正対象書類名】明細書
【補正対象項目名】０００７
【補正方法】変更
【補正の内容】
【０００７】
本発明は上記の課題を解決するためになされたものであり、装置で提供される各種機能を実行するための操作を容易に、かつ効率的に実行することができる表示制御装置及びその制御方法、プログラムを提供することを目的とする。
【手続補正５】
【補正対象書類名】明細書
【補正対象項目名】０００８
【補正方法】変更
【補正の内容】
【０００８】
上記の目的を達成するための本発明による表示制御装置は以下の構成を備える。即ち、
画像データを入力する画像入力部と、外部メモリを接続するメモリ接続部とを有する画像処理装置を操作可能な表示制御装置であって、
前記画像入力部及び前記メモリ接続部に接続された外部メモリの少なくとも一方を用いて前記画像処理装置にタスクを実行させるための複数の操作項目を含む操作画面を表示部に表示する表示手段と、
前記画像入力部の状態及び前記メモリ接続部への外部メモリの接続状態を監視する監視手段と、
前記監視手段が、前記画像入力部が画像データの入力待機状態にあり、かつ前記メモリ接続部に外部メモリが接続されていると判断している場合と、前記画像入力部が画像データの入力待機状態にあると判断しないか、前記メモリ接続部に外部メモリが接続されていると判断しない場合とで、前記操作項目の表示形態を異ならせるよう前記表示手段を制御する制御手段と
を有する。
【手続補正６】
【補正対象書類名】明細書
【補正対象項目名】０００９
【補正方法】変更
【補正の内容】
【０００９】
また、好ましくは、前記画像入力部の状態及び前記メモリ接続部への外部メモリの接続状態に応じたタスクの優先度を示す情報を保持する保持手段を更に有し、
前記制御手段は、前記監視手段による監視結果に応じた優先度を前記保持手段から読み出し、当該優先度に応じて前記操作項目の表示形態を異ならせる。
【手続補正７】
【補正対象書類名】明細書
【補正対象項目名】００１０
【補正方法】変更
【補正の内容】
【００１０】
また、好ましくは、前記画像入力部は、原稿上の画像を読み取り、該画像を示す画像データを生成する画像読取手段であり、
前記監視手段は、前記画像読取手段に原稿がセットされている場合に、入力待機状態にあると判断する。
【手続補正８】
【補正対象書類名】明細書
【補正対象項目名】００１１
【補正方法】変更
【補正の内容】
【００１１】
また、好ましくは、前記画像処理装置を使用するユーザを特定するためのユーザ情報を取得する取得手段を有し、
前記制御手段は、前記取得手段で取得したユーザ情報に応じて前記表示手段を制御する。
【手続補正９】
【補正対象書類名】明細書
【補正対象項目名】００１２
【補正方法】変更
【補正の内容】
【００１２】
また、好ましくは、前記制御手段は、前記画像処理装置が実行すべきタスクに関するスケジュール情報を参照可能であり、該参照されたスケジュール情報に従って前記表示手段を制御する。
【手続補正１０】
【補正対象書類名】明細書
【補正対象項目名】００１３
【補正方法】変更
【補正の内容】
【００１３】
また、好ましくは、前記制御手段は、前記画像処理装置の操作履歴を示す履歴情報を参照可能であり、該参照された履歴情報に従って前記表示手段を制御する。
【手続補正１１】
【補正対象書類名】明細書
【補正対象項目名】００１４
【補正方法】変更
【補正の内容】
【００１４】
また、好ましくは、前記画像処理装置が実行するタスクで処理されるべきデータを格納する格納手段を更に有し、
前記制御手段は、前記格納手段に処理されるべきデータが格納されているか否かに応じて前記表示手段を制御する。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
上記の目的を達成するための本発明による表示制御装置の制御方法は以下の構成を備える。即ち、
画像データを入力する画像入力部と、外部メモリを接続するメモリ接続部とを有する画像処理装置を操作可能な表示制御装置の制御方法であって、
前記画像入力部及び前記メモリ接続部に接続された外部メモリの少なくとも一方を用いて前記画像処理装置にタスクを実行させるための複数の操作項目を含む操作画面を表示部に表示する表示工程と、
前記画像入力部の状態及び前記メモリ接続部への外部メモリの接続状態を監視する監視工程と、
前記監視工程が、前記画像入力部が画像データの入力待機状態にあり、かつ前記メモリ接続部に外部メモリが接続されていると判断している場合と、前記画像入力部が画像データの入力待機状態にあると判断しないか、前記メモリ接続部に外部メモリが接続されていると判断しない場合とで、前記操作項目の表示形態を異ならせるよう制御する制御工程と
を有する。
【手続補正１９】
【補正対象書類名】明細書
【補正対象項目名】００２２
【補正方法】変更
【補正の内容】
【００２２】
上記の目的を達成するための本発明によるプログラムは以下の構成を備える。即ち、
画像データを入力する画像入力部と、外部メモリを接続するメモリ接続部とを有する画像処理装置を操作可能な表示制御装置をコンピュータによって実現するプログラムであって、
前記画像入力部及び前記メモリ接続部に接続された外部メモリの少なくとも一方を用いて前記画像処理装置にタスクを実行させるための複数の操作項目を含む操作画面を表示部に表示する表示工程と、
前記画像入力部の状態及び前記メモリ接続部への外部メモリの接続状態を監視する監視工程と、
前記監視工程が、前記画像入力部が画像データの入力待機状態にあり、かつ前記メモリ接続部に外部メモリが接続されていると判断している場合と、前記画像入力部が画像データの入力待機状態にあると判断しないか、前記メモリ接続部に外部メモリが接続されていると判断しない場合とで、前記操作項目の表示形態を異ならせるよう制御する制御工程と
をコンピュータにより実行させる。
【手続補正２０】
【補正対象書類名】明細書
【補正対象項目名】００２３
【補正方法】変更
【補正の内容】
【００２３】
本発明によれば、装置で提供される各種機能を実行するための操作を容易に、かつ効率的に実行することができる表示制御装置及びその制御方法、プログラムを提供できる。